(57)【要約】【課題】製品情報に関連する映像情報を効率よく特定する。【解決手段】コンテンツ提供システム（１）の管理サーバ（３０）は、表示端末（６０）において製品が特定されたことを示す情報を取得し、特定された製品に関連する映像を示す映像情報を抽出し、抽出した映像情報を含む映像情報リストを表示端末（６０）に出力する。【選択図】図１
2017228943.tif 000002
【特許請求の範囲】
【請求項１】
端末装置と通信する通信サーバであって、
制御部を備え、
上記制御部は、
上記端末装置において製品が特定されたことを示す情報を取得し、
特定された上記製品に関連する映像を示す映像情報を抽出し、
抽出した上記映像情報を含む映像情報リストを上記端末装置に出力する、
ことを特徴とする通信サーバ。
【請求項２】
上記制御部は、取得した上記製品に関連する映像のうち、特定のユーザが投稿した映像を示す上記映像情報を抽出する、
ことを特徴とする請求項１に記載の通信サーバ。
【請求項３】
上記制御部は、
特定のユーザが投稿した映像を示す映像情報に関連する製品の情報を含む製品情報リストを上記端末装置に出力し、
上記製品情報リストに含まれる上記製品の情報を取得する、
ことを特徴とする請求項２に記載の通信サーバ。
【請求項４】
上記端末装置において上記製品が特定されたことを示す情報を取得した場合に、当該製品に関する追加情報を上記端末装置に出力する、
ことを特徴とする請求項３に記載の通信サーバ。
【請求項５】
上記制御部は、上記端末装置から製品が特定されたことを示す情報を受け付けた場合に、上記映像情報リストを当該端末装置に出力する、
ことを特徴とする請求項１〜４のいずれか１項に記載の通信サーバ。
【請求項６】
上記映像情報リストには、上記映像情報リストに含まれる映像情報が示す映像へのリンク先を示すリンク情報が含まれる、
ことを特徴とする請求項１〜５のいずれか１項に記載の通信サーバ。
【請求項７】
端末装置と通信する通信方法であって、
上記端末装置において製品が特定されたことを示す情報を取得するステップと、
特定された上記製品に関連する映像を示す映像情報を抽出するステップと、
抽出した上記映像情報を含む映像情報リストを上記端末装置に出力するステップと、
を含むことを特徴とする通信方法。
【請求項８】
表示部と制御部とを有する端末装置であって、
上記制御部は、
製品を特定したことを示す情報を出力し、
特定した上記製品に関連する映像を示す映像情報を含む映像情報リストを取得し、
取得した上記映像情報リストを上記表示部に表示させる、
ことを特徴とする端末装置。
【請求項９】
上記制御部は、
上記映像情報リストに含まれる映像情報が示す映像を取得し、
取得した上記映像と、当該映像を示す上記映像情報に関連する製品の情報を含む製品情報リストとを上記表示部に表示させる、
ことを特徴とする請求項８に記載の端末装置。
【請求項１０】
表示部と制御部とを有する端末装置としてコンピュータを機能させるためのプログラムであって、上記制御部に、
製品を特定したことを示す情報を出力し、
特定した上記製品に関連する映像を示す映像情報を含む映像情報リストを取得し、
取得した上記映像情報リストを上記表示部に表示させる処理、
を実行させることを特徴とするプログラム。
【請求項１１】
撮影部と制御部と入力部とを有する端末装置であって、
上記制御部は、
上記入力部に対する操作入力より製品を特定し、
上記製品が特定されたことを示す情報を情報管理サーバへ出力し、
特定された上記製品の情報を上記情報管理サーバから受け付け、
撮影部が撮影した撮影映像を取得し、
上記撮影映像に、特定された上記製品の情報を関連付けて出力する、
ことを特徴とする端末装置。
【請求項１２】
上記制御部は、
上記撮影映像の映像情報と上記製品の情報とを関連付けて外部サーバに出力し、
上記撮影映像の映像データを他の外部サーバに出力する、
ことを特徴とする請求項１１に記載の端末装置。
【請求項１３】
表示部をさらに備え、
上記制御部は、上記撮影映像と、当該撮影映像に関連する上記製品の情報を含む製品情報リストとを上記表示部に表示させる、
ことを特徴とする請求項１２に記載の端末装置。
【請求項１４】
上記制御部は、上記製品の情報をサーバから取得する、
ことを特徴とする請求項１１〜１３のいずれか１項に記載の端末装置。
【請求項１５】
映像を撮影する撮影部と制御部と入力部とを有する端末装置としてコンピュータを機能させるためのプログラムであって、上記制御部に、
上記入力部に対する操作入力より製品を特定し、
上記製品が特定されたことを示す情報を情報管理サーバへ出力し、
特定された上記製品の情報を上記情報管理サーバから受け付け、
撮影部が撮影した撮影映像を取得し、
上記撮影映像に、特定された上記製品の情報を関連付けて出力する処理、
を実行させることを特徴とするプログラム。
【発明の詳細な説明】
【技術分野】
【０００１】
本発明は、通信サーバ、通信方法、端末装置、及び端末装置のプログラムに関する。
【背景技術】
【０００２】
静止画や動画等のコンテンツの共有サイトにおいて、ユーザは、投稿されているコンテンツの中から所望のコンテンツを検索することができる。例えば、特許文献１には、コンテンツのメタ情報を利用して、複数のコンテンツの中から所望のコンテンツを選択する動画再生装置が開示されている。また、特許文献２には、属性を表す識別コードを利用して、当該識別コードに関連する企業または製品を掲載したホームページのＵＲＬを取得する情報提供システムが開示されている。
【先行技術文献】
【特許文献】
【０００３】
【特許文献１】特開２０１０−８１５４０号公報（２０１０年４月８日公開）
【特許文献２】特開２００２−１９６９９８号公報（２００２年７月１２日公開）
【発明の概要】
【発明が解決しようとする課題】
【０００４】
しかしながら、上述のような従来技術では、複数のコンテンツの中から特定の製品情報に関連するコンテンツを選び出したい場合、複数のコンテンツを特定の製品情報に関連するコンテンツに一括で絞り込むことができず、特定の製品情報に関連するコンテンツを特定するまでの効率が悪い。
【０００５】
そこで、本発明は、上記の問題に鑑みてなされたものであり、その目的は、製品情報に関連する映像情報を効率よく特定することができる通信サーバ、通信方法、端末装置、及び端末装置のプログラムを実現することにある。
【課題を解決するための手段】
【０００６】
上記の課題を解決するために、本発明の一態様に係る通信サーバは、端末装置と通信する通信サーバであって、制御部を備え、上記制御部は、上記端末装置において製品が特定されたことを示す情報を取得し、特定された上記製品に関連する映像を示す映像情報を抽出し、抽出した上記映像情報を含む映像情報リストを上記端末装置に出力する。
【０００７】
また、上記の課題を解決するために、本発明の一態様に係る通信方法は、端末装置と通信する通信方法であって、上記端末装置において製品が特定されたことを示す情報を取得するステップと、特定された上記製品に関連する映像を示す映像情報を抽出するステップと、抽出した上記映像情報を含む映像情報リストを上記端末装置に出力するステップと、を含む。
【０００８】
また、上記の課題を解決するために、本発明の一態様に係る端末装置は、表示部と制御部とを有する端末装置であって、上記制御部は、製品を特定したことを示す情報を出力し、特定した上記製品に関連する映像を示す映像情報を含む映像情報リストを取得し、取得した上記映像情報リストを上記表示部に表示させる。
【０００９】
また、上記の課題を解決するために、本発明の一態様に係るプログラムは、表示部と制御部とを有する端末装置としてコンピュータを機能させるためのプログラムであって、上記制御部に、製品を特定したことを示す情報を出力し、特定した上記製品に関連する映像を示す映像情報を含む映像情報リストを取得し、取得した上記映像情報リストを上記表示部に表示させる処理、を実行させる。
【００１０】
また、上記の課題を解決するために、本発明の一態様に係る端末装置は、撮影部と制御部と入力部とを有する端末装置であって、上記制御部は、上記入力部に対する操作入力より製品を特定し、上記製品が特定されたことを示す情報を情報管理サーバへ出力し、特定された上記製品の情報を上記情報管理サーバから受け付け、撮影部が撮影した撮影映像を取得し、上記撮影映像に、特定された上記製品の情報を関連付けて出力する。
【００１１】
また、上記の課題を解決するために、本発明の一態様に係るプログラムは、映像を撮影する撮影部と制御部と入力部とを有する端末装置としてコンピュータを機能させるためのプログラムであって、上記制御部に、上記入力部に対する操作入力より製品を特定し、上記製品が特定されたことを示す情報を情報管理サーバへ出力し、特定された上記製品の情報を上記情報管理サーバから受け付け、撮影部が撮影した撮影映像を取得し、上記撮影映像に、特定された上記製品の情報を関連付けて出力する処理、を実行させる。
【発明の効果】
【００１２】
本発明の一態様によれば、製品情報に関連する映像情報を効率よく特定することができる。
【図面の簡単な説明】
【００１３】
【図１】本発明の実施形態１に係るコンテンツ提供システムの要部構成を示すブロック図である。
【図２】本発明の実施形態１に係るコンテンツ提供システムを模式的に示す図である。
【図３】本発明の実施形態１における表示端末の構成を示すブロック図である。
【図４】本発明の実施形態１において、投稿端末によって投稿された映像を表示するまでの表示端末の処理の流れを示すフローチャートである。
【図５】本発明の実施形態１において表示端末が表示する画面の例である。
【図６】本発明の実施形態に１において管理サーバが保持している管理テーブルを示す図である。
【図７】本発明の実施形態１において表示端末が表示する画面の例である。
【図８】本発明の実施形態１における投稿端末の構成を示すブロック図である。
【図９】本発明の実施形態２において、投稿端末によって撮影した映像を投稿するまでの投稿端末の処理の流れを示すフローチャートである。
【図１０】本発明の実施形態２において投稿端末が表示する画面の例である。
【図１１】本発明の実施形態２において投稿端末が表示する画面の例である。
【図１２】投稿端末、表示端末、映像配信サーバ、情報管理サーバ、または管理サーバとして利用可能なコンピュータの構成を例示したブロック図である。
【発明を実施するための形態】
【００１４】
〔実施形態１〕
以下、本発明の実施の形態について、図１〜図７を用いて詳細に説明する。
【００１５】
（コンテンツ提供システム１）
図２は、本発明の実施形態１に係るコンテンツ提供システム１を模式的に示す図である。コンテンツ提供システム１は、図２に示すように、映像配信サーバ１０、情報管理サーバ２０（情報管理サーバ，外部サーバ）、管理サーバ３０（通信サーバ）、投稿端末４０（端末装置）、及び表示端末６０（端末装置）によって構成されている。
【００１６】
コンテンツ提供システム１は、投稿端末４０によって投稿された映像を、表示端末６０が表示するシステムである。投稿端末４０によって投稿される映像には、（１）投稿端末４０から出力され、映像配信サーバ１０を介して出力されるライブ映像、及び（２）既に録画されている録画映像であって、映像配信サーバ１０に格納されている録画映像が含まれている。
【００１７】
投稿端末４０は、撮影映像に、特定された製品の製品情報を関連付けて、ネットワーク２経由で外部に出力する。より具体的には、投稿端末４０は、撮影映像を撮影する際に利用した製品として特定された製品の製品情報を当該撮影映像に関連付けて、ネットワーク２経由で外部に出力する。投稿端末４０は、撮影映像の映像情報を製品情報と関連付けて、ネットワーク２経由で管理サーバ３０に出力し、撮影映像の映像データをネットワーク２経由で映像配信サーバ１０に出力する。
【００１８】
一方、表示端末６０は、特定された製品に関連する映像を示す映像情報を含む映像情報リストを管理サーバ３０より取得し、取得した映像情報リストを表示する。より具体的には、表示端末６０は、特定された製品を利用して撮影した映像を示す映像情報を含む映像情報リストを管理サーバ３０より取得し、取得した映像情報リストを表示する。
【００１９】
なお、本明細書における製品情報とは、製品のカテゴリ、メーカ名、製品名、製品カラー、製品を特定するための識別番号等、製品に関連する情報である。また、本明細書における映像情報とは、映像のメタ情報、映像を特定するための識別番号等、映像に関連する情報である。
【００２０】
以下では、コンテンツ提供システム１が提供する配信コンテンツの例として、投稿者がメイクをする映像である場合を例に挙げて説明する。
【００２１】
図１は、本発明の実施形態１に係るコンテンツ提供システム１の要部構成を示すブロック図である。各サーバ及び端末の詳細について、図１を参照して以下に説明する。
【００２２】
（映像配信サーバ１０）
映像配信サーバ１０は、図１に示すように、映像配信サーバ通信部１２、映像配信サーバ制御部１４、及び映像配信サーバ記憶部１６を含んでいる。
【００２３】
映像配信サーバ通信部１２は、外部の装置と通信するための通信インターフェースである。
【００２４】
映像配信サーバ制御部１４は、映像配信サーバ１０の各構成を統括的に制御する機能を備えている演算装置である。
【００２５】
映像配信サーバ記憶部１６は、ライブ映像及び録画映像等が格納されている記憶装置である。
【００２６】
（情報管理サーバ２０）
情報管理サーバ２０は、図１に示すように、情報管理サーバ通信部２２、情報管理サーバ制御部２４、及び情報管理サーバ記憶部２６を含んでいる。
【００２７】
情報管理サーバ通信部２２は、外部の装置と通信するための通信インターフェースである。
【００２８】
情報管理サーバ制御部２４は、情報管理サーバ２０の各構成を統括的に制御する機能を備えている演算装置である。
【００２９】
情報管理サーバ記憶部２６は、製品情報等が格納されている記憶装置である。
【００３０】
（管理サーバ３０）
管理サーバ３０は、図１に示すように、管理サーバ通信部３２、管理サーバ制御部３４（制御部）、及び管理サーバ記憶部３６を含んでいる。
【００３１】
管理サーバ通信部３２は、外部の装置と通信するための通信インターフェースである。
【００３２】
管理サーバ制御部３４は、管理サーバ３０の各構成を統括的に制御する機能を備えている演算装置である。
【００３３】
管理サーバ記憶部３６は、映像情報と製品情報とを関連付けた管理テーブル等が格納されている記憶装置である。詳細は後述するが、管理テーブルは、映像情報を含む映像リスト（映像情報リスト）及び製品情報を含む製品リスト（製品情報リスト）を抽出するためのものである。
【００３４】
（投稿端末４０）
投稿端末４０は、図１に示すように、投稿端末通信部４２、投稿端末制御部４４（制御部）、カメラ４６（撮影部）、投稿端末表示部４８（表示部）、及び投稿端末操作部５０（入力部）を含んでいる。
【００３５】
投稿端末通信部４２は、外部の装置と通信するための通信インターフェースである。
【００３６】
カメラ４６は、映像を撮影する撮影装置である。
【００３７】
投稿端末表示部４８は、入力された映像信号が示す映像を表示する出力装置である。
【００３８】
投稿端末操作部５０は、ユーザによる操作を受け付ける入力装置である。
【００３９】
投稿端末制御部４４は、投稿端末４０の各構成を統括的に制御する機能を備えている演算装置である。投稿端末制御部４４の詳細な構成については、図８を用いて後ほど説明する。
【００４０】
（表示端末６０）
表示端末６０は、図１に示すように、表示端末通信部６２、表示端末制御部６４（制御部）、表示端末表示部６６（表示部）、及び表示端末操作部６８を含んでいる。
【００４１】
表示端末通信部６２は、外部の装置と通信するための通信インターフェースである。
【００４２】
表示端末表示部６６は、入力された映像信号が示す映像を表示する出力装置である。
【００４３】
表示端末操作部６８は、ユーザによる操作を受け付ける入力装置である。
【００４４】
表示端末制御部６４は、表示端末６０の各構成を統括的に制御する機能を備えている演算装置である。表示端末制御部６４の詳細な構成について、図３を用いて説明する。
【００４５】
（表示端末制御部６４）
図３は、本発明の実施形態１における表示端末６０の構成を示すブロック図である。表示端末制御部６４は、図３に示すように、コンテンツ取得部６４０、表示端末表示制御部６４２、映像リスト取得部６４６、表示端末操作受付部６４８、及び製品リスト取得部６５０としても機能する。
【００４６】
コンテンツ取得部６４０は、表示端末通信部６２を介して、ライブ映像及び録画映像等を映像配信サーバ１０から取得する。
【００４７】
表示端末表示制御部６４２は、表示端末表示部６６に表示する映像を示す映像信号を出力する。
【００４８】
映像リスト取得部６４６は、表示端末通信部６２を介して、映像情報を含む映像リストを管理サーバ３０から取得する。
【００４９】
表示端末操作受付部６４８は、表示端末操作部６８が受け付けたユーザの操作を示す操作信号を取得する。
【００５０】
製品リスト取得部６５０は、表示端末通信部６２を介して、製品情報を含む製品リストを管理サーバ３０から取得する。
【００５１】
（映像表示処理）
コンテンツ提供システム１において、投稿端末４０によって投稿された映像を表示するまでの表示端末６０の処理について、図４〜図６を用いて説明する。以下では、表示端末６０が、コンテンツの閲覧及び投稿を行うためのアプリケーション（以下、閲覧投稿アプリと称す）を利用して、投稿端末４０によって投稿された映像を表示するまでの処理を説明する。
【００５２】
図４は、本発明の実施形態１において、投稿端末４０によって投稿された映像を表示するまでの表示端末６０の処理の流れを示すフローチャートである。また、図５は、本発明の実施形態１において表示端末６０が表示する画面の例である。また、図６は、本発明の実施形態に１において管理サーバ３０が保持している管理テーブルを示す図である。
【００５３】
（ステップＳ１）
図５の（ａ）は、ユーザが表示端末６０を用いて閲覧投稿アプリを起動し、ユーザ専用のページ（マイページ）を開いた画面である。本画面では、映像タブ１００が選択されており、映像の一覧１０１が表示されている。一覧１０１に表示される映像は、例えば、最近投稿された映像や閲覧回数が多い映像等であり得る。
【００５４】
ユーザが、マイページ上の製品タブ１０２を選択すると、表示端末操作受付部６４８は、表示端末操作部６８を介して、製品タブ１０２を選択する操作を受け付けた旨の操作信号を取得する。表示端末操作受付部６４８は、取得した操作信号を製品リスト取得部６５０に出力する。製品リスト取得部６５０は、表示端末通信部６２を介して、ユーザに関連付けられた製品の製品情報を含む製品リストを管理サーバ３０に要求する。すなわち、製品リスト取得部６５０は、表示端末通信部６２を介して、ユーザが過去に投稿した映像で使用した製品の製品情報を含む製品リストを管理サーバ３０に要求する。
【００５５】
（ステップＳ２）
管理サーバ３０の管理サーバ制御部３４は、管理サーバ通信部３２を介して、製品リストの要求を受け付けると、管理サーバ記憶部３６から製品リストを取得する。
【００５６】
ここで、管理サーバ記憶部３６には、図６に示すような、ユーザと映像情報と製品情報とを関連付けた管理テーブルが格納されている。本図のユーザＩＤは、ユーザを特定するための識別番号であり、コンテンツＩＤは、映像を特定するための識別番号であり、化粧品ＩＤは、製品を特定するための識別番号である。管理サーバ制御部３４は、管理テーブルを用いて、特定のユーザが過去に投稿した映像で使用した製品の製品情報を含む製品リストを取得（生成）することができる。
【００５７】
（ステップＳ３）
管理サーバ制御部３４は、管理サーバ通信部３２を介して、取得した製品リストを表示端末６０に出力する。
【００５８】
（ステップＳ４）
表示端末６０の製品リスト取得部６５０は、表示端末通信部６２を介して、製品リストを取得する。
【００５９】
（ステップＳ５）
製品リスト取得部６５０は、取得した製品リストを表示端末表示制御部６４２に出力する。表示端末表示制御部６４２は、製品リストを表示するための映像信号を表示端末表示部６６に出力する。これにより、図５の（ｂ）に示すように、画面上には、ユーザが過去に投稿した映像で使用した製品の一覧１０３が表示される。
【００６０】
（ステップＳ６）
ユーザが、画面上に表示された製品の一覧１０３から、特定の製品（図５の（ｂ）では、製品１０４）を選択すると、表示端末操作受付部６４８は、表示端末操作部６８を介して、特定の製品を選択する操作を受け付けた旨の操作信号を取得する。
【００６１】
（ステップＳ７）
表示端末操作受付部６４８は、取得した操作信号を映像リスト取得部６４６に出力する。映像リスト取得部６４６は、表示端末通信部６２を介して、ユーザによって製品が選択されたことを示す情報を管理サーバ３０に出力する。より具体的には、ユーザによって選択された製品に関連する映像の映像情報を含む映像リストを管理サーバ３０に要求する。ユーザによって選択された製品に関連する映像とは、すなわちユーザによって選択された製品を使用した映像である。
【００６２】
（ステップＳ８）
管理サーバ３０の管理サーバ制御部３４は、管理サーバ通信部３２を介して、映像リストの要求を受け付けると、管理サーバ記憶部３６から映像リストを取得する。管理サーバ制御部３４は、図６に示した管理テーブルを用いて、ユーザが選択した製品を使用した映像の映像情報を含む映像リストを取得（生成）することができる。
【００６３】
（ステップＳ９）
管理サーバ制御部３４は、管理サーバ通信部３２を介して、取得した映像リストを表示端末６０に出力する。
【００６４】
（ステップＳ１０）
表示端末６０の映像リスト取得部６４６は、表示端末通信部６２を介して、映像リストを取得する。
【００６５】
（ステップＳ１１）
映像リスト取得部６４６は、取得した映像リストを表示端末表示制御部６４２に出力する。表示端末表示制御部６４２は、映像リストを表示するための映像信号を表示端末表示部６６に出力する。これにより、図５の（ｃ）に示すように、画面上には、ユーザが選択した製品を使用した映像の一覧１０５が表示される。
【００６６】
図５の（ｃ）に示すように、表示端末表示制御部６４２は、ユーザが選択した製品の製品情報を、映像リストと共に表示端末表示部６６に表示させてもよい。また、当該製品情報と共に、製品の詳細情報等の追加情報へのリンク先を示すリンク情報を表示端末表示部６６に表示させてもよい。
【００６７】
この場合、管理サーバ３０の管理サーバ制御部３４が映像リストの要求を受け付けた時点で、製品の詳細情報へのリンク先を示すリンク情報を取得し、表示端末６０に出力する。このリンク情報は、図６に示した管理テーブルに含まれていてもよい。
【００６８】
表示端末表示制御部６４２は、画面上の詳細情報ボタン１０６にリンク情報を埋め込んで表示端末表示部６６に表示させることにより、ユーザが画面上の詳細情報ボタン１０６を選択すると、コンテンツ取得部６４０が表示端末通信部６２を介して、当該リンク情報が示すリンク先の画面（製品の詳細情報画面）を外部から取得することができる。
【００６９】
（ステップＳ１２）
ユーザが、画面上に表示された映像の一覧１０５から、特定の映像（図５の（ｄ）では、映像１０７）を選択すると、表示端末操作受付部６４８は、表示端末操作部６８を介して、特定の映像を選択する操作を受け付けた旨の操作信号を取得する。
【００７０】
（ステップＳ１３）
表示端末操作受付部６４８は、取得した操作信号をコンテンツ取得部６４０に出力する。コンテンツ取得部６４０は、表示端末通信部６２を介して、ユーザが選択した映像を映像配信サーバ１０に要求する。
【００７１】
例えば、映像リストには、映像リストに含まれる映像情報が示す映像へのリンク先を示すリンク情報が含まれていてもよく、コンテンツ取得部６４０は、当該リンク情報が示すリンク先の映像を映像配信サーバ１０に要求する構成となっていてもよい。
【００７２】
（ステップＳ１４）
映像配信サーバ１０の映像配信サーバ制御部１４は、映像配信サーバ通信部１２を介して、映像の要求を受け付けると、映像配信サーバ記憶部１６から映像を取得する。
【００７３】
（ステップＳ１５）
映像配信サーバ制御部１４は、映像配信サーバ通信部１２を介して、取得した映像を表示端末６０に出力する。
【００７４】
（ステップＳ１６）
表示端末６０のコンテンツ取得部６４０は、表示端末通信部６２を介して、映像を取得する。
【００７５】
（ステップＳ１７）
コンテンツ取得部６４０は、取得した映像を表示端末表示制御部６４２に出力する。表示端末表示制御部６４２は、映像を表示するための映像信号を表示端末表示部６６に出力する。これにより、図５の（ｅ）に示すように、画面上には、ユーザが選択した映像が表示（再生）される。
【００７６】
このように、本実施形態では、管理サーバ３０は、表示端末６０において製品が選択されたことを示す情報を取得する。そして、管理サーバ３０は、選択された製品に関連する映像を示す映像情報を抽出し、抽出した映像情報を含む映像リストを表示端末６０に出力している。これにより、ユーザが複数の映像の中から特定の製品に関連する映像を選び出したい場合、複数の映像を特定の製品に関連する映像に一括で絞り込むことができるため、特定の製品に関連する映像情報を効率よく特定することができる。
【００７７】
なお、ステップＳ７において、映像リスト取得部６４６は、ユーザが選択した製品を使用した映像の映像情報を含む映像リストを管理サーバ３０に要求しているが、本実施形態は必ずしもこれに限定されない。例えば、映像リスト取得部６４６は、ユーザが過去に投稿した映像のうち、ユーザが選択した製品を使用した映像の映像情報を含む映像リストを管理サーバ３０に要求してもよい。図５では、ユーザのマイページから図５の（ｃ）の画面に遷移しているので、映像リスト取得部６４６は、映像リストに含める映像情報をユーザが過去に投稿した映像の映像情報に絞り込んで映像リストを要求してもよい。
【００７８】
また、ステップＳ６では、ユーザは、ユーザが過去に投稿した映像で使用した製品の製品情報を含む製品リストの中から特定の製品を選択しているが、本実施形態は必ずしもこれに限定されない。例えば、ユーザは、任意に製品を選択してもよく、映像リスト取得部６４６は、ユーザが任意に選択した製品を使用した映像の映像情報を含む映像リストを管理サーバ３０に要求する構成であってもよい。
【００７９】
（映像表示中の製品一覧）
表示端末６０で映像を表示中に、当該映像に関連する製品の一覧を表示することもできる。より具体的には、表示端末６０で映像を表示中に、当該映像で使用されている製品の一覧を表示することができる。この処理について、図７を参照して説明する。図７は、本発明の実施形態１において表示端末６０が表示する画面の例である。
【００８０】
図７の（ａ）に示すように、表示端末６０の表示端末表示部６６に映像を表示中に、ユーザが所定の操作（例えば、画面上を左右上下のいずれかにスワイプする操作）を行うと、表示端末操作受付部６４８は、表示端末操作部６８を介して、所定の操作を受け付けた旨の操作信号を取得する。
【００８１】
表示端末操作受付部６４８は、取得した操作信号を製品リスト取得部６５０に出力する。製品リスト取得部６５０は、表示端末通信部６２を介して、管理サーバ３０に製品リストを要求する。
【００８２】
管理サーバ３０の管理サーバ制御部３４は、管理サーバ通信部３２を介して、製品リストの要求を受け付けると、管理サーバ記憶部３６から製品リストを取得する。より具体的には、管理サーバ制御部３４は、管理サーバ記憶部３６から、表示中の映像で使用されている製品の製品情報を含む製品リストを取得する。
【００８３】
ここで、管理サーバ制御部３４は、図６に示した管理テーブルを用いて、表示中の映像で使用されている製品の製品情報を含む製品リストを取得（生成）することができる。
【００８４】
なお、表示中の映像で使用されている製品の製品情報を含む製品リストを取得するタイミングは、上述のタイミングに限定されない。例えば、表示端末６０に表示する映像を映像配信サーバ１０より取得するタイミングで、当該映像で使用されている製品の製品情報含む製品リストを管理サーバより予め取得しておいてもよい。
【００８５】
管理サーバ制御部３４は、管理サーバ通信部３２を介して、取得した製品リストを表示端末６０に出力し、表示端末６０の製品リスト取得部６５０は、表示端末通信部６２を介して、製品リストを取得する。
【００８６】
製品リスト取得部６５０は、取得した製品リストを表示端末表示制御部６４２に出力し、表示端末表示制御部６４２は、製品リストを表示するための映像信号を表示端末表示部６６に出力する。これにより、図７の（ｂ）に示すように、画面上には、映像と共に、当該映像で使用されている製品の製品情報を含む製品リストが表示される。
【００８７】
このように、ユーザが映像を視聴中であっても所定の操作を行うことにより、画面上に当該映像で使用されている製品の製品情報を含む製品リストを表示することができる。したがって、ユーザは、映像を視聴しながらも当該映像で使用されている製品を確認することができる。
【００８８】
〔実施形態２〕
本発明の実施形態２について、図８〜図１１に基づいて説明すれば、以下のとおりである。なお、説明の便宜上、前記実施形態にて説明した部材と同じ機能を有する部材については、同じ符号を付記し、その説明を省略する。
【００８９】
（投稿端末制御部４４）
図８は、本発明の実施形態１における投稿端末４０の構成を示すブロック図である。投稿端末制御部４４は、図３に示すように、ライブ映像取得部４４０、ライブ映像出力部４４２、投稿端末表示制御部４４４、投稿端末操作受付部４４８、登録製品情報出力部４５０、及び製品情報取得部４５４としても機能する。
【００９０】
ライブ映像取得部４４０は、カメラ４６によって撮像されたライブ映像を取得する。
【００９１】
ライブ映像出力部４４２は、投稿端末通信部４２を介して、ライブ映像取得部４４０が取得したライブ映像を出力する。
【００９２】
投稿端末表示制御部４４４は、投稿端末表示部４８に表示する映像を示す映像信号を出力する。
【００９３】
投稿端末操作受付部４４８は、投稿端末操作部５０が受け付けたユーザの操作を示す操作信号を取得する。
【００９４】
登録製品情報出力部４５０は、投稿端末通信部４２を介して、ユーザが登録した製品情報を出力する。
【００９５】
製品情報取得部４５４は、投稿端末通信部４２を介して、製品情報を情報管理サーバ２０から取得する。
【００９６】
（映像投稿処理）
コンテンツ提供システム１において、投稿端末４０によって撮影した映像を投稿するまでの投稿端末４０の処理について、図９及び図１０を用いて説明する。以下では、投稿端末４０が、コンテンツの閲覧及び投稿を行うためのアプリケーション（以下、閲覧投稿アプリと称す）を利用して、投稿端末４０によって撮影した映像を投稿するまでの処理を説明する。
【００９７】
図９は、本発明の実施形態２において、投稿端末４０によって撮影した映像を投稿するまでの投稿端末４０の処理の流れを示すフローチャートである。また、図１０は、本発明の実施形態２において投稿端末４０が表示する画面の例である。
【００９８】
（ステップＳ２１）
図１０の（ａ）は、ユーザが投稿端末４０を用いて閲覧投稿アプリを起動し、映像を投稿するためのページを開いた画面である。本画面は、投稿する映像に付すタグを入力したり、投稿する映像に関連付ける製品を登録したりできる投稿準備画面である。投稿する映像に関連付ける製品とは、すなわち投稿する映像で使用する製品である。
【００９９】
ユーザが、投稿準備画面上の製品ボタン２００を選択すると、図１０の（ｂ）に示すように、投稿する映像で使用する製品としてユーザが登録した製品の製品情報の一覧２０１が表示された画面に遷移する。
【０１００】
この画面上に表示された製品登録ボタン２０２をユーザが選択すると、投稿端末操作受付部４４８は、投稿端末操作部５０を介して、製品登録ボタン２０２を選択する操作を受け付けた旨の操作信号を取得する。投稿端末操作受付部４４８は、取得した操作信号を製品情報取得部４５４に出力する。製品情報取得部４５４は、製品の登録画面を投稿端末表示制御部４４４に出力する。投稿端末表示制御部４４４は、製品の登録画面を表示するための映像信号を投稿端末表示部４８に出力する。これにより、図１０の（ｃ）に示すように、画面上には、製品の登録画面が表示される。
【０１０１】
（ステップＳ２２）
本図に示すように、製品の登録画面には、製品のカテゴリ（コスメカテゴリ）を選択する項目２０３ａ、製品のブランド名を選択する項目２０３ｂ、製品名（商品名）を選択する項目２０３ｃ、及び製品のカラーを選択する項目２０３ｄがある。ユーザは、投稿端末操作部５０を介して各項目を選択する。なお、各項目は、投稿端末操作部５０を用いて、一覧表示された複数の選択肢の中からユーザが１つを選択してもよいし、ユーザが手入力してもよい。
【０１０２】
投稿端末操作受付部４４８は、投稿端末操作部５０を介して、各項目に対するユーザの選択操作（操作入力）を受け付けた旨の操作信号を取得する。
【０１０３】
（ステップＳ２３）
投稿端末操作受付部４４８は、取得した操作信号を製品情報取得部４５４に出力する。製品情報取得部４５４は、投稿端末通信部４２を介して、ユーザが選択した各項目に対応する製品の製品情報を情報管理サーバ２０に要求する。
【０１０４】
（ステップＳ２４）
情報管理サーバ２０の情報管理サーバ制御部２４は、情報管理サーバ通信部２２を介して、製品情報の要求を受け付けると、情報管理サーバ記憶部２６から製品情報を取得する。製品情報は、図６に示した管理テーブルに記載されているような、製品に対応する化粧品ＩＤ（識別番号）であってもよい。
【０１０５】
（ステップＳ２５）
情報管理サーバ制御部２４は、情報管理サーバ通信部２２を介して、取得した製品情報を投稿端末４０に出力する。
【０１０６】
（ステップＳ２６）
投稿端末４０の製品情報取得部４５４は、投稿端末通信部４２を介して、製品情報を取得する。
【０１０７】
ここで、製品情報には、製品の画像データも含まれていてもよい。製品情報取得部４５４は、取得した画像データを投稿端末表示制御部４４４に出力する。投稿端末表示制御部４４４は、画像データを表示するための映像信号を投稿端末表示部４８に出力する。これにより、図１０の（ｄ）に示すように、製品の登録画面上には、製品の画像２０４が表示される。
【０１０８】
（ステップＳ２７）
画面上に表示された保存ボタン２０５をユーザが選択すると、投稿端末操作受付部４４８は、投稿端末操作部５０を介して、保存ボタン２０５を選択する操作を受け付けた旨の操作信号を取得する。投稿端末操作受付部４４８は、取得した操作信号を投稿端末表示制御部４４４に出力し、投稿端末表示制御部４４４は、図１０の（ｅ）に示すように、投稿準備画面を投稿端末表示部４８に表示させる。このようにして、投稿端末４０では、ユーザによって製品が選択されたことを示す情報を受け付け、投稿する映像で使用する製品として選択された製品を登録する。
【０１０９】
この画面上に表示された投稿開始ボタン２０６をユーザが選択すると、投稿端末操作受付部４４８は、投稿端末操作部５０を介して、投稿開始ボタン２０６を選択する操作を受け付けた旨の操作信号を取得する。投稿端末操作受付部４４８は、取得した操作信号をライブ映像取得部４４０及び登録製品情報出力部４５０に出力する。ライブ映像取得部４４０は、カメラ４６によって撮影されたライブ映像をカメラ４６より取得し、ライブ映像を投稿端末表示制御部４４４に出力する。投稿端末表示制御部４４４は、ライブ映像を表示するための映像信号を投稿端末表示部４８に出力する。これにより、図１０の（ｆ）に示すように、画面上には、ライブ映像が表示される。
【０１１０】
（ステップＳ２８，Ｓ２９）
また、ライブ映像取得部４４０は、カメラ４６より取得したライブ映像を、ライブ映像出力部４４２に出力する。ライブ映像出力部４４２は、投稿端末通信部４２を介して、取得したライブ映像を映像配信サーバ１０及び管理サーバ３０に出力する。同時に、登録製品情報出力部４５０は、製品情報取得部４５４より製品情報を取得し、取得した製品情報を管理サーバ３０に出力する。なお、製品情報取得部４５４より取得する製品情報は、投稿する映像で使用する製品としてユーザが登録したすべての製品の製品情報である。
【０１１１】
この際、ライブ映像出力部４４２及び登録製品情報出力部４５０は、ライブ映像と製品情報とを関連付けて出力する。具体的には、ライブ映像出力部４４２及び登録製品情報出力部４５０は、ライブ映像の映像情報と製品情報とを関連付けて、投稿端末通信部４２を介して管理サーバ３０に出力し、ライブ映像出力部４４２は、ライブ映像の映像データを、投稿端末通信部４２を介して映像配信サーバ１０に出力する。
【０１１２】
（ステップＳ３０）
管理サーバ３０の管理サーバ制御部３４は、管理サーバ通信部３２を介して、映像情報と製品情報とを取得する。
【０１１３】
（ステップＳ３１）
管理サーバ制御部３４は、取得した映像情報及び製品情報を用いて管理テーブルを生成（更新）する。管理サーバ制御部３４は、取得した映像情報及び製品情報を用いて、図６に示したような、ユーザと映像情報と製品情報とを関連付けた管理テーブルを生成し、管理サーバ記憶部３６に格納する。
【０１１４】
（ステップＳ３２）
一方、映像配信サーバ１０の映像配信サーバ制御部１４は、映像配信サーバ通信部１２を介して、映像データを取得する。
【０１１５】
（ステップＳ３３）
映像配信サーバ制御部１４は、取得した映像データを映像配信サーバ記憶部１６に格納する。
【０１１６】
このように、本実施形態では、投稿端末４０は、ユーザによって製品が選択されたことを示す情報を受け付け、選択された製品の製品情報と投稿する映像とを関連付けて映像配信サーバ１０及び管理サーバ３０に出力している。このため、管理サーバ３０においては、映像を投稿したユーザと、投稿された映像（すなわち、映像配信サーバ１０に記録された映像）と、ユーザによって選択された製品の製品情報とを関連付けた管理テーブルを生成することができる。これにより、管理サーバ３０において、特定の製品情報に関連する映像を示す映像情報を抽出し、抽出した映像情報を含む映像リストを表示端末６０に出力することができる。したがって、投稿端末４０による上述の出力は、特定の製品情報に関連する映像情報を効率よく特定することに寄与することができる。
【０１１７】
（映像投稿中の製品一覧）
投稿端末４０で映像を投稿中に、当該映像に関連する製品の一覧を表示することもできる。より具体的には、投稿端末４０で映像を投稿中に、当該映像で使用されている製品の一覧を表示することができる。この処理について、図１１を参照して説明する。図１１は、本発明の実施形態２において投稿端末４０が表示する画面の例である。
【０１１８】
図１１の（ａ）に示すように、投稿端末４０の投稿端末表示部４８に投稿中の映像を表示中に、ユーザが所定の操作（例えば、画面上を左右上下のいずれかにスワイプする操作）を行うと、投稿端末操作受付部４４８は、投稿端末操作部５０を介して、所定の操作を受け付けた旨の操作信号を取得する。
【０１１９】
投稿端末操作受付部４４８は、取得した操作信号を製品情報取得部４５４に出力する。製品情報取得部４５４は、投稿端末通信部４２を介して、投稿中の映像に関連付けられた製品の製品情報を含む製品リストを管理サーバ３０に要求する。すなわち、製品情報取得部４５４は、投稿端末通信部４２を介して、投稿中の映像で使用されている製品の製品情報を含む製品リストを取得する。
【０１２０】
管理サーバ３０の管理サーバ制御部３４は、管理サーバ通信部３２を介して、製品リストの要求を受け付けると、管理サーバ記憶部３６から製品リストを取得する。管理サーバ制御部３４は、図６に示した管理テーブルを用いて、投稿中の映像で使用されている製品の製品情報を含む製品リストを取得（生成）することができる。
【０１２１】
管理サーバ制御部３４は、管理サーバ通信部３２を介して、取得した製品リストを投稿端末４０に出力し、投稿端末４０の製品情報取得部４５４は、投稿端末通信部４２を介して、製品リストを取得する。
【０１２２】
なお、投稿中の映像で使用されている製品の製品情報を含む製品リストは、必ずしも管理サーバ３０から取得してなくてもよい。例えば、製品情報取得部４５４は、登録製品情報出力部４５０から、投稿する映像で使用する製品の製品情報として管理サーバ３０に出力した製品情報を取得してもよい。
【０１２３】
製品情報取得部４５４は、取得した製品リストを投稿端末表示制御部４４４に出力し、投稿端末表示制御部４４４は、製品リストを表示するための映像信号を投稿端末表示部４８に出力する。これにより、図１１の（ｂ）に示すように、画面上には、投稿中の映像と共に、当該映像で使用されている製品の製品情報を含む製品リストが表示される。
【０１２４】
このように、ユーザが映像を投稿中であっても所定の操作を行うことにより、画面上に当該映像で使用されている製品の製品情報を含む製品リストを表示することができる。したがって、ユーザは、映像を投稿しながらも当該映像で使用されている製品を確認することができる。
【０１２５】
〔実施形態３〕
投稿端末４０及び表示端末６０の制御ブロック（特に、ライブ映像出力部４４２、登録製品情報出力部４５０、製品情報取得部４５４、映像リスト取得部６４６、及び製品リスト取得部６５０）は、集積回路（ＩＣチップ）等に形成された論理回路（ハードウェア）によって実現してもよいし、ＣＰＵ（Central Processing Unit）を用いてソフトウェアによって実現してもよい。
【０１２６】
後者の場合、投稿端末４０及び表示端末６０は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２７】
〔実施形態４〕
上記各実施形態では、３つのサーバ（映像配信サーバ１０、情報管理サーバ２０、及び管理サーバ３０）を用いる例を説明したが、これらのサーバが有する各機能を、１つのサーバにて実現されていてもよいし、２つまたは４つ以上のサーバにて実現されていてもよい。そして、複数のサーバを適用する場合においては、各サーバは、同じ事業者によって管理されていてもよいし、異なる事業者によって管理されていてもよい。
【０１２８】
〔実施形態５〕
投稿端末４０、表示端末６０、映像配信サーバ１０、情報管理サーバ２０、及び管理サーバ３０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、投稿端末４０、表示端末６０、映像配信サーバ１０、情報管理サーバ２０、及び管理サーバ３０のそれぞれを、図１２に示すようなコンピュータ（電子計算機）を用いて構成することができる。
【０１２９】
図１２は、投稿端末４０、表示端末６０、映像配信サーバ１０、情報管理サーバ２０、または管理サーバ３０として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、及び補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、及び、コンピュータ９１０がユーザに各種情報を出力するための出力装置９３０が接続される。入力装置９２０及び出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０及び出力装置９３０の双方の機能を有する装置を適用してもよい。そして、通信インターフェース９１６は、コンピュータ９１０が外部の装置と通信するためのインターフェースである。
【０１３０】
補助記憶装置９１４には、コンピュータ９１０を投稿端末４０、表示端末６０、映像配信サーバ１０、情報管理サーバ２０、または管理サーバ３０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、投稿端末４０、表示端末６０、映像配信サーバ１０、情報管理サーバ２０、または管理サーバ３０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１３１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３３】
１  コンテンツ提供システム
１０  映像配信サーバ
２０  情報管理サーバ
３０  管理サーバ
４０  投稿端末
４２  投稿端末通信部
４４  投稿端末制御部
４６  カメラ
４８  投稿端末表示部
５０  投稿端末操作部
６０  表示端末
６２  表示端末通信部
６４  表示端末制御部
６６  表示端末表示部
６８  表示端末操作部
４４０  ライブ映像取得部
４４２  ライブ映像出力部
４４４  投稿端末表示制御部
４４８  投稿端末操作受付部
４５０  登録製品情報出力部
４５４  製品情報取得部
６４０  コンテンツ取得部
６４２  表示端末表示制御部
６４６  映像リスト取得部
６４８  表示端末操作受付部
６５０  製品リスト取得部
【図１】
2017228943.tif 000003
【図２】
2017228943.tif 000004
【図３】
2017228943.tif 000005
【図４】
2017228943.tif 000006
【図５】
2017228943.tif 000007
【図６】
2017228943.tif 000008
【図７】
2017228943.tif 000009
【図８】
2017228943.tif 000010
【図９】
2017228943.tif 000011
【図１０】
2017228943.tif 000012
【図１１】
2017228943.tif 000013
【図１２】
2017228943.tif 000014